(57)【要約】本発明に係る吸収性物品は、液透過性の表面シート１０と、液不透過性の裏面シート４０と、該表面シート及び該裏面シートの間に配置されている吸収体３０とを有する吸収性物品１００であって、吸収性物品１００には、前方領域２１０と中央領域２２０と後方領域２３０とが吸収体の長手方向に連続して設けられており、吸熱材５０は、吸収性物品の中央領域２２０を少なくとも含む配置領域で、吸収体３０内部に配置されている。
2009145139.tif 000002
【特許請求の範囲】
【請求項１】
液透過性の表面シートと、液不透過性の裏面シートと、該表面シート及び該裏面シートの間に配置されている吸収体とを有する吸収性物品であって、
前記吸収性物品には、前方領域と中央領域と後方領域とが前記吸収体の長手方向に連続して設けられており、
吸熱材は、前記吸収性物品の中央領域を少なくとも含む配置領域で、前記吸収体内部に配置されていることを特徴とする吸収性物品。
【請求項２】
前記配置領域内の前記吸収性物品の長手方向の両端部における前記吸熱材の混合率は、前記配置領域内の前記吸収性物品の長手方向の中央部における前記吸熱材の混合率よりも低いことを特徴とする請求項１に記載の吸収性物品。
【請求項３】
粒径が異なる複数前記吸熱材が配置されていることを特徴とする請求項１に記載の吸収性物品。
【請求項４】
前記吸収体内部に配置されている前記吸熱材のうち、全体の平均粒径の±１００μｍの範囲内に存在する粒径を有する前記吸熱材が６０％以下であることを特徴とする請求項３に記載の吸収性物品。
【請求項５】
前記吸収体内部の前記表面シート側に配置されている前記吸熱材の粒径は、前記吸収体内部の前記裏面シート側に配置されている前記吸熱材の粒径よりも小さいことを特徴とする請求項３に記載の吸収性物品。
【請求項６】
液透過性の表面シートと、液不透過性の裏面シートと、該表面シート及び該裏面シートの間に配置されている吸収体とを有する生理用ナプキンであって、
前記生理用ナプキンには、前方領域と中央領域と後方領域とが前記吸収体の長手方向に連続して設けられており、
吸熱材は、前記整理用ナプキンの中央領域を少なくとも含む配置領域で、前記吸収体内部に配置されていることを特徴とする生理用ナプキン。
【請求項７】
前記生理用ナプキンは、幅方向に延出するウイングを更に有し、
前記中央領域の長手方向の領域は、前記ウイングの長手方向の領域であることを特徴とする請求項６に記載の生理用ナプキン。
【請求項８】
前記生理用ナプキンには、前記吸収体の幅方向の両側部において、エンボス溝が形成されており、
前記エンボス溝は、前記生理用ナプキンの長手方向に沿っており、
前記吸熱材は、前記エンボス溝の内側に配置されていることを特徴とする請求項６に記載の生理用ナプキン。
【発明の詳細な説明】
【技術分野】
【０００１】
本発明は、液透過性の表面シートと、液不透過性の裏面シートと、該表面シート及び該裏面シートの間に配置されている吸収体とを有する吸収性物品及び生理用ナプキンに関する。
【背景技術】
【０００２】
従来、着用者から排泄された経血を吸収するため、生理用ナプキンなどの吸収性物品が広く用いられている（例えば、特許文献１参照）。一般的に、かかる吸収性物品は、液透過性の表面シートと、液不透過性の裏面シートと、該表面シート及び該裏面シートの間に配置されている吸収体とを有する。
【先行技術文献】
【特許文献】
【０００３】
【特許文献１】特開第２００１−１９０５９６号公報
【特許文献２】特許第３９２２７２２号公報
【発明の概要】
【０００４】
ところで、着用者から排泄された経血等の体液は、吸収性物品に対して排泄されるとすぐに蒸散を開始するため、着用者の肌表面と吸収性物品との間の空間における温度及び湿度が上昇してしまい、着用者がムレ感を感じてしまうという問題があった。
【０００５】
そこで、本発明は、上述の課題に鑑みてなされたものであり、経血や尿等の体液が排泄された際に、着用者が感じるムレ感を抑制することが可能な吸収性物品及び生理用ナプキンを提供することを目的とする。
【０００６】
なお、特許第３９２２７２２号公報に開示されているように、体液の付着によって温度変化（例えば、吸熱反応）する吸熱材を備える吸収性物品が知られているが、かかる吸収性物品は、着用者に対して、体液の排泄を感知させるものである。つまり、かかる吸収性物品は、子供のトイレ訓練用オムツなどに用いるためのものであり、着用者が感じるムレ感を抑制するものではない。
【０００７】
本発明の第１の特徴は、液透過性の表面シートと、液不透過性の裏面シートと、該表面シート及び該裏面シートの間に配置されている吸収体とを有する吸収性物品であって、前記吸収性物品には、前方領域と中央領域と後方領域とが前記吸収体の長手方向に連続して設けられており、吸熱材は、前記吸収性物品の中央領域を少なくとも含む配置領域で、前記吸収体内部に配置されていることを要旨とする。
【０００８】
第１の特徴において、前記配置領域内の前記吸収性物品の長手方向の両端部における前記吸熱材の混合率は、前記配置領域内の前記吸収性物品の長手方向の中央部における前記吸熱材の混合率よりも低くてもよい。
【０００９】
第１の特徴において、粒径が異なる前記吸熱材が配置されていてもよい。
【００１０】
第１の特徴において、前記吸収体内部に配置されている前記吸熱材のうち、全体の平均粒径の±１００μｍの範囲内に存在する粒径を有する前記吸熱材が６０％以下であってもよい。
【００１１】
第１の特徴において、前記吸収体内部の前記表面シート側に配置されている前記吸熱材の粒径は、前記吸収体内部の前記裏面シート側に配置されている前記吸熱材の粒径よりも小さくてもよい。
【００１２】
本発明の第２の特徴は、液透過性の表面シートと、液不透過性の裏面シートと、該表面シート及び該裏面シートの間に配置されている吸収体とを有する生理用ナプキンであって、前記生理用ナプキンには、前方領域と中央領域と後方領域とが前記吸収体の長手方向に連続して設けられており、吸熱材は、前記吸収性物品の中央領域を少なくとも含む配置領域で、前記吸収体内部に配置されていることを要旨とするものである。
【００１３】
第２の特徴において、前記生理用ナプキンは、幅方向に延出するウイングを更に有し、前記中央領域の長手方向の領域は、前記ウイングの長手方向の領域であってもよい。
【００１４】
第２の特徴において、前記生理用ナプキンには、前記吸収体の幅方向の両側部においてエンボス溝が形成されており、前記エンボス溝は、前記生理用ナプキンの長手方向に沿っており、前記吸熱材は、前記エンボス溝の内側に配置されていてもよい。
【００１５】
以上説明したように、本発明によれば、経血や尿等の体液が排泄された際に、着用者が感じるムレ感を抑制することが可能な吸収性物品及び生理用ナプキンを提供することができる。
【図面の簡単な説明】
【００１６】
【図１】図１は、本発明の第１実施形態に係る吸収性物品の平面図である。
【図２】図２は、本発明の第１実施形態に係る吸収性物品の断面図である。
【図３】図３は、本発明の第１実施形態に係る吸収性物品の吸熱材の粒度分布を示すグラフ図である。
【図４】図４は、本発明の変形例１に係る吸収性物品の断面図である。
【図５】図５は、本発明の第２実施形態に係る吸収性物品の平面図である。
【図６】図６（ａ）は、本発明の実施例１に係る実験装置の横断面図である。図６（ｂ）は、本発明の実施例１に係る実験装置の縦断面図である。
【図７】図７（ａ）は、本発明の実施例１に係る湿度変化を示すグラフである。図７（ｂ）は、本発明の実施例１に係る温度変化を示すグラフである。
【図８】図８（ａ）は、本発明の実施例１に係る湿度変化を示すグラフである。図８（ｂ）は、本発明の実施例１に係る温度変化を示すグラフである。
【発明を実施するための形態】
【００１７】
（本発明の第１実施形態に係る吸収性物品）
図１乃至図２を参照して、本発明の第１実施形態に係る吸収性物品について説明する。図１は、本発明の第１実施形態に係る吸収性物品１００の平面図であり、図２は、吸収性物品１００のＡ−Ａ´線断面図である。
【００１８】
吸収性物品１００は、例えば、生理用ナプキンに適用される。なお、吸収性物品１００は、個別の包装容器等に収納する際は、内面へ向けて３つ折りや４つ折りされた状態で封入される。吸収性物品１００の全体形状は、長方形、楕円型、瓢箪型等でもよく、着用者の体及び肌着の形状に適合する形状であれば特に限定されない。また、吸収性物品１００の外形寸法として、長手方向の寸法は、“１００〜５００ｍｍ”の範囲が好ましく、具体的には、“１５０〜３５０ｍｍ”の範囲がより好ましい。また、幅方向の寸法は、“３０〜２００ｍｍ”の範囲が好ましく、具体的には、“４０〜１８０ｍｍ”の範囲がより好ましい。
【００１９】
図１に示すように、本実施形態において、吸収性物品１００には、前方領域２１０と中央領域２２０と後方領域２３０とが、吸収体３０の長手方向（平面方向）に連続して設けられている。なお、前方領域２１０は、着用者の腹側の肌表面に当接される領域であり、中央領域２２０は、着用者の股間部の肌表面に当接される領域であり、後方領域２３０は、着用者のお尻側の肌表面に当接される領域である。
【００２０】
ここで、中央領域２２０は、着用者が吸収性物品１００を装着した際に、経血等の体液が最も多く付着する領域である。例えば、中央領域２２０は、吸収性物品１００の幅方向及び長手方向の中央近傍の領域としてもよい。更に、吸収性物品１００にエンボス溝７０ａ乃至７０ｂ（後述）が形成されている場合、中央領域２２０は、図１に示すように、エンボス溝７０ａ乃至７０ｂ（後述）の股間形状の部分８０を、中央領域２２０としてもよい。
【００２１】
また、本実施形態に係る吸収性物品１００には、吸収性物品１００を肌着に固定させるために、吸収性物品１００の幅方向に延出するウイング２０ａ乃至２０ｂが、形成されている。このように、ウイング２０ａ乃至２０ｂが形成されている場合、ウイング２０ａ乃至２０ｂに対応する領域を中央領域２２０としてもよい。具体的に、ウイング２０ａ乃至２０ｂが設けられている長手方向の領域を、中央領域２２０の長手方向の領域としてもよい。なお、本実施形態では、ウイング２０ａ乃至２０ｂが設けられている長手方向の領域を、中央領域２２０の長手方向の領域として説明する。
【００２２】
図２に示すように、吸収性物品１００は、液透過性の表面シート１０と、液不透過性の裏面シート４０と、該表面シート１０及び該裏面シート４０の間に配置されている吸収体３０とを有する。表面シート１０は、着用者の肌表面に当接し、裏面シート４０は、肌着面に当接する。なお、吸収性物品１００において、表面シート１０と、吸収体３０と、裏面シート４０とは、それぞれの層間分離を防止するため、接合されていることが好ましい。具体的に、吸収性物品１００は、吸収体３０の周縁部において、表面シート１０と裏面シート４０とを接合し、吸収体３０が内封されていることが好ましい。なお、表面シート１０と裏面シート４０との接合方法としては、ヒートエンボス加工、超音波、又はホットメルト型接着剤のいずれか一つ、又は複数を組み合わせることが可能である。
【００２３】
また、図１乃至２に示すように、吸収性物品１００には、表面シート１０と吸収体３０とを接合するため、表面シート１０と吸収体３０とに対して、エンボス溝７０ａ乃至７０ｂ（いわゆるヒンジ）が形成されている。また、エンボス溝７０ａ乃至７０ｂは、吸収性物品１００が股間部に対してより沿い易くするように、股間部の形状を模写したパターン（エンボスパターン）で形成されている。
【００２４】
また、図１乃至２に示すように、エンボス溝７０ａ乃至７０ｂは、吸収体３０の幅方向の両側部において、長手方向に沿って形成されている。ここで、本実施形態において、吸収体３０の幅方向の両側部は、図２に示すように、吸収体３０の幅方向の間隔をＷとすると、吸収体３０の中心から幅方向の外側に向かって間隔Ｗ１以上の間隔Ｗ２で示される領域とする。例えば、間隔Ｗ１を“１０ｍｍ”とすると、両側部は、吸収体３０の中心から幅方向の外側に向かって“１０ｍｍ”以上の間隔Ｗ２で示される領域とする。なお、両側部は、上述した内容に限定されるものではなく、例えば、間隔Ｗ１と間隔Ｗ２との比を“１：１”や“２：１”として、かかる比に対応する間隔Ｗ２の領域としてもよい。また、エンボス溝７０ａとエンボス溝７０ｂとの幅方向の間隔は、“２０〜６０ｍｍ”であることが好ましい。
【００２５】
また、吸収性物品１００は、経血等の体液の横漏れを防止するため、弾性材等のエラスティック材を用いたギャザー（図示せず）を、吸収体３０の幅方向の両側部に設けてもよい。
【００２６】
表面シート１０は、素材として不織布を用いている。なお、表面シート１０の素材は、織布、又は、有孔プラスチックシート等、液体を透過する構造のシート状材料であれば、特に限定されずに使用することができる。織布や不織布の素材としては、天然繊維、化学繊維のいずれも使用することが可能である。天然繊維の例としては、粉砕パルプ、コットン等のセルロースが挙げられる。化学繊維の例としては、レーヨン、フィブリルレーヨン等の再生セルロース、アセテート、トリアセテート等の半合成セルロース、熱可塑性疎水性化学繊維、又は、親水化処理を施した熱可塑性疎水性化学繊維が挙げられる。なお、熱可塑性疎水性化学繊維の例としては、ポリエチレン（ＰＥ）、ポリプロピレン（ＰＰ）、ポリエチレンテレフタレート（ＰＥＴ）等の単繊維、ポリエチレンとポリプロピレンをグラフト重合してなる繊維、芯鞘構造等の複合繊維が挙げられる。
【００２７】
また、特に不織布のウェブフォーミングの方法としては、乾式（カード法、スパンボンド法、メルトブローン法、エアレイド法等）及び湿式のいずれか一つの方法、又は、複数の方法を組み合わせてもよい。また、ボンディングの方法としては、サーマルボンディング、ニードルパンチ、ケミカルボンディング等の方法が挙げられるが、特にこれらの方法に限定されるものではない。また、水流交絡法によりシート状に形成したスパンレースを、不織布として用いても良い。
【００２８】
有孔プラスチックシートとしては、ポリエチレン、ポリプロピレン、ポリエチレンテレフタレートといった熱可塑性樹脂の有孔シートや、多孔質の発泡材等を用いることができる。また、有孔プラスチックシートには、必要に応じて酸化チタンや炭酸カルシウム等からなるフィラーを０．５〜１０％の範囲で混入してもよい。また、有孔シートとしては、熱可塑性樹脂からなるフィルムを、パーフォレーション、ヒートエンボス加工、又は機械加工等により開孔した有孔フィルムを使用しても良い。なお、かかる有孔フィルムは、不織布との複合シートとして使用しても良い。
【００２９】
裏面シート４０は、肌着側の面に、着用者の肌着に接着させるずれ止め用接着部６０が配置されている。なお、当該ずれ止め用接着部６０の外面には、剥離シート（図示せず）が、接着によって配置される。裏面シート４０は、素材として、ポリエチレン、ポリプロピレン等を主体としたフィルム、通気性の樹脂フィルム、スパンボンド、又はスパンレース等の不織布に通気性の樹脂フィルムが接合されたものや、ＳＭＳの複数層などを用いることができる。なお、裏面シート４０は、着用感を損なわない程度の柔軟性を考慮すると、例えば、低密度ポリエチレン（ＬＤＰＥ）樹脂を主体とし、目付が“１５〜３０ｇ/ｍ２”の範囲のフィルムを使用することが好ましい。
【００３０】
吸収体３０は、親水性繊維や高分子（ポリマー）を被覆材で覆うように成形されているたものでもよいし、エアレイド法によってシート物に成形されたエアレイドシートでもよい。
【００３１】
親水性繊維の例としては、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、又は、親水化処理を施した熱可塑性疎水性化学繊維等を単独又は混合して用いることができる。これらの中でも、低コストと吸収体の成形し易さとを考慮すると、粉砕パルプを使用することが好ましい。
【００３２】
高分子（ポリマー）の例としては、一般的に、吸収性や吸湿性のあるアクリル酸ナトリウム共重合体などの粒状ポリマーが用いられる。また、別の特性を得るために、銀・銅・亜鉛・シリカ・活性炭・アルミノケイ酸塩化合物・ゼオライトなどの粒状消臭材を使用してもよい。
【００３３】
被覆材の例としては、液透過性で高分子吸収体や吸熱材（後述）がすり抜けないだけのバリアー性があれば良く、織布、不織布等を、特に限定せずに使用することができる。なお、織布、不織布の素材としては、天然繊維、化学繊維のいずれも使用することが可能である。天然繊維の例としては、粉砕パルプ、コットン等のセルロースが挙げられる。化学繊維の例としては、レーヨン、フィブリルレーヨン等の再生セルロース、アセテート、トリアセテート等の半合成セルロース、熱可塑性疎水性化学繊維、もしくは親水化処理を施した熱可塑性疎水性化学繊維が挙げられる。
【００３４】
不織布のウェブフォーミングには、乾式（カード法、スパンボンド法、メルトブローン法、エアレイド法等）や湿式等のいずれか、又は複数を組み合わせて行ってもよい。また、ボンディングの方法としては、サーマルボンディング、ニードルパンチ、ケミカルボンディング等の方法が挙げられるが、特にこれらの方法に限定されるものではない。また、水流交絡法によりシート状に形成したスパンレースを用いても良い。なお、これらの中でも、低コストとバリアー性の高さとを考慮すると、粉砕パルプを主材料とし湿式法で成形されるティッシュを使用することが好ましい。
【００３５】
また、吸収体３０として、エアレイドシートを使用する場合、その厚さは、０．３〜５．０ｍｍであるのが好ましい。また、エアレイドシートの例としては、繊維と粒子状ポリマーとをバインダー等でシート物に成形したものが挙げられる。なお、粒子状ポリマーは、エアレイドシートにおいて、層状に分散されていてもよいし、厚み方向に偏っていてもよい。
【００３６】
また、吸収体３０には、着用中の型崩れやヨレの防止、又は厚みを調整するため、エンボスが形成されていてもよい。吸収体３０へのエンボスは、パターニングされたエンボスロールとフラットロールとの間に、吸収体を通紙することによって形成できる。エンボスロールのパターンは、格子状・ドット状・波状等が用いられるが、厚みを調整しやすい格子状のパターンが好ましい。
【００３７】
また、吸収体３０の長手方向の寸法は、“９０〜４９０ｍｍ”の範囲が好ましく、具体的には、“１４０〜３４０ｍｍ”の範囲がより好ましい。また、幅方向の寸法は、“２５〜１００ｍｍ”の範囲が好ましく、具体的には、“３５〜８０ｍｍ”の範囲がより好ましい。
【００３８】
また、図２に示すように、吸収体３０には、吸熱材５０が配置されている。吸熱材５０は、体液などの液体に接触すると、吸熱反応を発現し、周辺の熱エネルギーを吸収する水溶性物質である。吸熱材５０の例としては、塩化カリウム、塩化ナトリウム、酢酸ナトリウム、硝酸カリウム、尿素、重曹、キシリトール、トレハロース等、水和により吸熱反応を表す水溶性物質が挙げられる。中でも、溶解時の肌に対する刺激性や、長期間保存などの安定性の観点から、塩化カリウムが好ましい。
【００３９】
（吸熱材の配置領域）
本実施形態に係る吸収性物品１００における吸熱材５０の配置領域について説明する。排泄された経血によって、吸熱反応を効率的に発現させるためには、吸熱材５０の配置領域２２５は、着用者の股間部に当接する領域を少なくとも含むことが好ましい。
【００４０】
本実施形態では、吸熱材５０は、吸収性物品１００の長手方向（平面方向）において、中央領域２２０を少なくとも含む配置領域に配置され、吸収性物品１００の厚み方向において、吸収体３０内部に配置されている。中央領域２２０の長手方向の領域は、ウイング２０ａ乃至２０ｂの長手方向の領域に相当する。また、吸熱材５０は、吸収性物品１００の幅方向（平面方向）において、エンボス溝７０ａとエンボス溝７０ｂとの間の領域に配置されている。
【００４１】
また、図１の例では、吸熱材５０の平面方向の配置領域２２５が、網目模様によって示されている。ここで、中央領域２２０を少なくとも含む配置領域とは、図１に示すように、中央領域２２０内の領域であってもよいし、中央領域２２０の一部の領域と、中央領域２２０外の領域とを含む領域であってもよい。図１に示すように、吸収体３０の長手方向の長さを“Ｌ１”とすると、配置領域２２５の長手方向の長さは、“Ｌ１”に対して３０〜５０％の長さ“Ｌ２”であることが好ましい。
【００４２】
ここで、もしも、配置領域２２５の長手方向の長さが、吸収性物品１００の長手方向の長さに対して３０％未満であると、経血の量が少ない場合や、着用者が吸収性物品１００を適切な位置に装着していない場合などに、吸熱材５０の吸熱反応が発現しにくくなってしまう可能性がある。
【００４３】
一方、配置領域２２５の長手方向の長さが、５０％以上であると、吸熱材５０が、着用者の股間部から排泄された経血以外の汗などによって吸熱反応してしまうため、着用者に対して、必要以上に冷感を与えてしまう可能性がある。
【００４４】
従って、配置領域２２５の長手方向の長さは、吸収性物品１００の長手方向の長さに対して、３０〜５０％の長さであることが好ましい。
【００４５】
更に、吸熱材５０の配置領域２２５は、中央領域２２０だけでなく、吸収性物品１００の長手方向の中央を含むことが好ましい。吸収性物品１００の中央とは、吸収性物品１００全体を基準とした中心であってもよいし、ウイング２０ａ乃至２０ｂを長手方向に等分する中心線上の点であってもよいし、吸収体３０の両側部が、幅方向で内側に向かって凸状に湾曲して形成されている場合には、吸収体３０の幅が最も狭くなる部分が長手方向の中央であってもよい。
【００４６】
更に、吸収性物品１００において、厚み方向に突出する中高部が形成されている場合、吸収性物品１００の中央は、かかる中高部の平面方向の中央であってもよい。なお、かかる中高部は、大きさの異なる複数の吸収体３０を重ねて形成されていてもよいし、吸収体３０の目付を他の領域の目付よりも大きくなるように形成されていてもよい。
【００４７】
また、配置領域２２５における吸熱材５０の密度は、吸収体３０の全面において、均一であってもよいし、中央領域２２０において高くなるように構成されていてもよい。
【００４８】
吸熱材５０の厚み方向の位置は、吸熱材５０の吸熱反応によって、着用者へ冷感などの不快感を与えない位置とすることが好ましい。例えば、吸熱材５０は、表面シート１０と吸収体３０との間や、表面シートの内部に配置してもよいが、吸熱反応を長時間繰り返させたり、冷感を与えないためには、吸収体３０内に含まれていることが好ましい。
【００４９】
また、吸熱材５０は、吸収体３０の厚み方向において、密度が均一に配置されていてもよい。なお、経血等の体液の排泄量が少なくても温度を低下させるためには、吸熱材５０は、吸収体３０の厚み方向において、肌表面側の位置に配置されていることが好ましい。
【００５０】
（吸熱材の粒径）
本実施形態に係る吸熱材５０の粒径について、図３を参照して説明する。図３は、本実施形態に係る吸熱材の粒度分布を示すグラフである。また、図３において、横軸が粒径を示し、縦軸が全体重量に対する割合（％）を示す。
【００５１】
本実施形態に係る吸熱材５０には、粒径が異なる複数種類の吸熱材が配置されている。具体的に、吸熱材５０は、図３に示すように、粒径の異なる吸熱材５０ａ乃至５０ｉを含む。
【００５２】
ここで、本実施形態において、吸熱材５０ａの粒径は、“１５０μｍ”未満であり、吸熱材５０ｂの粒径は、“１５０μｍ”以上“２５０μｍ”未満であり、吸熱材５０ｃの粒径は、“２５０μｍ”以上“３００μｍ”未満であり、吸熱材５０ｄの粒径は、“３００μｍ”以上“３５５μｍ”未満であり、吸熱材５０ｅの粒径は、“３５５μｍ”以上“５００μｍ”未満であり、吸熱材５０ｆの粒径は、“５００μｍ”以上“６００μｍ”未満であり、吸熱材５０ｇの粒径は、“６００μｍ”以上“７１０”μｍ未満であり、吸熱材５０ｈの粒径は、“７１０μｍ”以上“８５０μｍ”未満であり、吸熱材５０ｉの粒径は、“８５０μｍ”以上である。また、図３の例において、全体の平均粒径は、“４２５μｍ”である。
【００５３】
また、本実施形態において、吸熱材５０は、吸収体３０の内部に配置されている吸熱材の全体（全体重量）のうち、全体の平均粒径の±１００μｍの範囲内（平均粒径範囲内）に存在する粒径を有する吸熱材が６０％以下（全体重量の６０％以下の重量）である。
【００５４】
具体的に、図３の例では、全体の平均粒径“４２５μｍ”に対して、±１００μｍの範囲は、“３２５μｍ”〜“５２５μｍ”の範囲である。本実施形態では、かかる範囲を、平均粒径範囲として説明する。また、図３の例では、平均粒径範囲内の吸熱材は、吸熱材５０ｄと吸熱材５０ｃの一部と吸熱材５０ｅの一部とが該当し、図３において、斜線模様によって領域９０として示す。
【００５５】
ここで、図３において、吸熱材５０の全体重量とグラフの全体面積とは、１対１の比率で対応している。よって、図３において、グラフの全体面積に対する領域９０の面積の割合が、吸熱材５０の全体重量に対する平均粒径範囲内の吸熱材の重量の割合である。つまり、本実施形態では、図３に示す領域９０の面積が、グラフの全体面積の６０％以下になるになるように、吸熱材の粒径を選定する。
【００５６】
このように、本実施形態に係る吸熱材５０では、平均粒径範囲に存在する吸熱材の割合を６０％以下とすることで、少なくとも全体の４０％以上を他の粒径の吸熱材に分散させている。
【００５７】
ここで、吸熱材の成分が同一であれば、粒径が大きい吸熱材ほど完全溶解する速度が遅くなる。これは、吸熱材が水和により溶解する際、粒子の最表面から溶解し始めるため、粒径が大きい、つまり体積が大きいほど完全溶解するには時間がかかる。
【００５８】
また、長時間又は繰り返しの排泄でも吸熱反応を発現させるには、粒径が大きいほど好ましいが、粒径が大きい吸熱材のみが吸収体３０に配合されていると、吸収体３０の剛性が高まってしまうため、着用者に対して異物感を与えてしまう。
【００５９】
例えば、平均粒径範囲内の吸熱材の割合が、吸熱材５０の全体の６０％より大きい場合、粒径が大きい吸熱材が多くなり、着用者に対して異物感を与えてしまい、粒径が小さい吸熱材が多くなる場合は、吸熱反応が長時間発現しにくくなる。よって、上述した平均粒径範囲内の吸熱材の割合は、吸熱材５０の全体の６０％以下の割合、具体的には、５０％以下の割合であることが好ましい。
【００６０】
つまり、吸熱材５０において、吸熱反応を長時間発現させ、かつ、吸収体３０の剛性を過度に高めないために、粒径が異なる吸熱材５０ａ乃至ｉを配合することが好ましい。なお、平均粒径は、特に限定しないが、異物感の観点と生産性の観点から３００〜８００μｍの範囲、具体的には、３５０〜６００μｍの範囲が好ましい。また、吸熱材の粒径は、図３の例における範囲に限定されるものではない。
【００６１】
（吸収体における吸熱材の構成）
本実施形態に係る吸熱材５０の構成について説明する。吸熱材５０は、被覆材によって、吸熱材５０のみを被覆したシートを吸収体３０の上面に配置してもよいし、パルプとパルプとの間に層状に吸熱材５０を配置してもよい。さらに、吸熱材５０は、表面シート１０と吸収体３０の間に挟みこんでもよい。
【００６２】
ここで、吸熱材５０は水溶性であるため、１度目の経血の排泄によって、例えば、粒径が小さい領域の吸熱材５０が溶解してしまった場合、吸熱材５０に空間が出来てしまうことになる。かかる場合、繰り返し経血が排泄されると、表面シート１０側から裏面シート４０側へ経血が移行しにくくなってしまい、表面シート１０に経血が滞留して、着用者へ不快感を与えてしまう恐れがある。
【００６３】
以上から、吸熱材５０は、パルプ等とブレンドして、吸熱材５０がある程度分散している方が好ましい。具体的には、吸収体３０は、パルプを６０〜９８％の範囲、粒子状の吸熱材５０を４０〜２％の範囲、粒子状ポリマーを２０〜０％の範囲で混合し、ティッシュで被覆した後、エンボス加工によりシート化した目付１００〜２０００ｇ／ｍ２、高さ１〜５０ｍｍに成形することが好ましい。なお、エンボス加工は、吸収体の型崩れを防止するためであり、エンボス面積率は１０〜１００％の範囲、具体的には、は３０〜８０％の範囲であることが好ましい。
【００６４】
なお、吸収体３０における吸熱材５０は、経血等の体液によって吸熱材５０の吸熱反応を長時間繰り返す構成や、冷感を与えない構成が好ましい。具体的に、上層材（表面シート１０側）には、パルプ５０〜１５０ｇｓｍと塩化カリウム０．５〜３．０ｇをブレンドする。下層材（裏面シート４０側）には、パルプ５０〜２００ｇｓｍと高分子吸収体０．１〜０．５ｇとをブレンドする。そして、上層材と下層材とを重ね合わせて、ティッシュで被覆した後、エンボス加工を施したものを、吸熱材５０としてもよい。
【００６５】
（吸熱材の混入量）
本実施形態に係る吸収体３０における吸熱材５０の混入量について説明する。吸熱材５０の混入量は、吸熱材５０の種類によって溶解熱や溶解度が異なることや、吸熱材５０の配置位置によっても影響される。ここで、肌表面と吸収性物品１００との間の空間における温度及び湿度の急激な上昇を抑制させる点と、着用者へ冷感などの不快感を与えない点とを考慮すると、吸収性物品１００の１枚当たりの吸熱材５０の重量は、０．１〜１０ｇの範囲、より具体的には、０．５〜５ｇの範囲が好ましい。
【００６６】
例えば、吸収性物品１００を生理用ナプキンとして用い、塩化カリウムを吸熱材５０として用いた場合を例に挙げて説明する。
【００６７】
生理期間中の経血量が多い日（１〜３日目）におけるナプキン１枚当たりの平均吸収量は、一般的に、約６．０ｍｌであることが知られている。また、塩化カリウムの溶解度は、３７℃±５℃に調整した実験液（生理食塩液）に対しては約２７．０％であることが知られている。
【００６８】
これらから、経血量６．０ｍｌに対して溶解可能な塩化カリウムは約２．０ｇとなり、２．０ｇ以上塩化カリウムを混入してもそれ以上には吸熱反応をしないことになる。よって、塩化カリウムを多い日用の生理用ナプキンとして用いた場合は、塩化カリウムの混入量は０．５〜３．０ｇの範囲、さらには１．０〜２．０ｇの範囲が好ましい。
【００６９】
本発明の第１実施形態に係る吸収性物品１００によれば、吸熱材５０が、吸収体３０の内部に配置されている。よって、かかる吸収性物品１００によれば、経血等の体液が排泄された際に、吸熱材５０の吸熱反応によって、吸収体３０の温度及び湿度が上昇することを抑制する。即ち、かかる吸収性物品１００によれば、経血や尿等の体液が排泄された際に、着用者が感じるムレ感を抑制することができる。
【００７０】
また、吸熱材５０として用いる水溶性物質が血液に溶解すると、血漿中の溶質の濃度が上昇する。このため、血漿の浸透圧が高まり、赤血球内の水分が赤血球の外に放出される。これにより、赤血球は収縮し、赤血球の体積が減少する。赤血球の体積が減少すると、血液の表面張力が高くなり、表面シート１０に対する血液の接触角が高まる。すなわち、赤血球の濡れ性が低減する。
【００７１】
このように、表面シート１０を一旦通過した血液に水溶性物質が溶解すると、血液の濡れ性が低減するため、血液は、表面シート１０を再度透過して肌表面に戻りにくくなる。従って、着用者にドライ感を与えることができる。
【００７２】
また、本発明の第１実施形態に係る吸収性物品１００によれば、吸熱材５０が着用者の肌表面に当接しないため、吸熱材５０の吸熱反応によって、着用者に対して冷感などの不快感を与えてしまうことや、吸熱材５０によって温度の低下した経血等の体液が表面シート１０に滞留して、着用者へ不快感を与えてしまうことを抑制できる。
【００７３】
また、本発明の第１実施形態に係る吸収性物品１００によれば、吸熱材５０は、吸収性物品１００の中央領域２２０を少なくとも含む領域に配置されている。また、本実施形態において、中央領域２２０は、ウイング２０ａ乃至２０ｂの長手方向の領域に相当する。
【００７４】
ここで、一般的に、吸収性物品１００は、装着する際に、ウイング２０ａとウイング２０ｂとの間の領域が股間部に当接するように用いられている。従って、ウイング２０ａ乃至２０ｂの長手方向の領域を中央領域２２０とし、かかる中央領域２２０を少なくとも含む領域に吸熱材５０を配置することで、着用者からの経血等の体液を、より確実に吸熱材５０に付着させて、吸熱反応を発現させることができる。
【００７５】
また、本発明の第１実施形態に係る吸収性物品１００では、表面シート１０と吸収体３０とを接合するために、エンボス溝７０ａ乃至７０ｂが形成され、吸熱材５０は、エンボス溝７０ａとエンボス溝７０ｂとの間の領域に配置されている。
【００７６】
従って、本発明の第１実施形態に係る吸収性物品１００によれば、表面シート１０と吸収体３０とが離れにくくなるように形成されているので、着用者からの経血等の体液を、より確実に吸熱材５０に付着させて、吸熱反応を発現させることができる。更に、かかる吸収性物品１００によれば、吸熱材５０が、エンボス溝７０ａとエンボス溝７０ｂとの間の領域に配置されているので、吸収性物品１００にヨレが発生した場合であっても、吸熱材５０が、吸収体３０の外に出てしまうことを低減できる。
【００７７】
本発明の第１実施形態に係る吸収性物品１００によれば、吸熱材５０は、全体の平均粒径の±１００μｍの範囲内に存在する吸熱材の割合（全体重量に対する重量比）を６０％以下にし、少なくとも全体の４０％以上を他の粒径の吸熱材に分散するように構成されている。よって、かかる吸収性物品１００によれば、吸熱材５０が、吸熱反応を長時間発現し、かつ、吸収体３０の剛性を過度に高めてしまうことを抑制できる。
【００７８】
（変形例１）
図４を参照して、本発明の変形例１に係る吸収性物品について、本発明の第１実施形態に係る吸収性物品との相違点に着目して説明する。
【００７９】
図４に示すように、本変形例１に係る吸収性物品１００では、吸収体３０の表面シート１０側に配置されている吸熱材５０の粒径は、吸収体３０の裏面シート４０側に配置されている吸熱材５０の粒径よりも小さい。
【００８０】
具体的に、本変形例１に係る吸収性物品１００では、吸収体３０の表面シート１０側に、図３に示す吸熱材５０ａ乃至５０ｄを配置し、吸収体３０の裏面シート４０側に、図３に示す吸熱材５０ｅ乃至５０ｉを配置する。
【００８１】
本変形例１に係る吸収性物品１００によれば、表面シート１０側に、粒径の小さい吸熱材を配置するので、着用者に対して、吸熱材５０による異物感を与えにくくすることができる。
【００８２】
（変形例２）
本発明の変形例２に係る吸収性物品について、本発明の第１実施形態に係る吸収性物品との相違点に着目して説明する。
【００８３】
本変形例２に係る吸熱材５０には、溶解度が異なる複数種類の吸熱材が配置されている。具体的に、吸熱材５０には、溶解度が異なる複数種類の吸熱材として、塩化カリウムの吸熱材と、尿素の吸熱材と、トレハロースの吸熱材とが配置されている。
【００８４】
塩化カリウムの溶解度は、３７℃±５℃に調整した実験液（生理食塩液）に対しては約２７％である。他の吸熱材の溶解度を例に挙げると、３７℃±５℃に調整した実験液（生理食塩液）に対して、尿素は、約６１％、トレハロースは、約４７％である。
【００８５】
ここで、種類の異なる複数の吸熱材は、それぞれの溶解度が少なくとも１０％以上異なることが好ましい。例えば、溶解度が約２７％の塩化カリウム（第１吸熱材）と、溶解度が約６１％の尿素（第２吸熱材）とを、パルプに混合して吸収体３０を作成した場合、１度目の排泄で尿素が主体的に溶解もしくは完全溶解し、２〜３度目の排泄で塩化カリウムが完全溶解する。
【００８６】
よって、本変形例２に係る吸熱材５０によれば、吸熱反応を長時間発現させることができる。なお、溶解度が異なる複数種類の吸熱材は、上述した例に限定されるものではない。
【００８７】
（本発明の第２実施形態に係る吸収性物品）
図５を参照して、本発明の第２実施形態に係る吸収性物品について説明する。以下、本発明の第２実施形態に係る吸収性物品について、本発明の第１実施形態に係る吸収性物品との相違点に着目して説明する。図５は、本発明の第２実施形態に係る吸収性物品１１０の平面図である。
【００８８】
本実施形態に係る吸収性物品１１０は、第１実施形態に係る吸収性物品１００と比べて、後方領域２３０が長手方向に長い、つまり、着用者のお尻側（尾骨側）の肌表面に当接する領域が長い。吸収性物品１１０は、例えば、着用者が臥位（例えば、仰向け）の状態である場合においても、着用者の体（例えば、お尻）を伝って流れる経血等を吸収するように構成されている。
【００８９】
また、図５に示すように、吸収性物品１１０は、吸収性物品１１０が股間部に対してより沿い易くするため、表面シート１０と吸収体３１とにおいて、股間部の形状を模写したエンボス溝７１ａ乃至７１ｂ（いわゆるヒンジ）が形成されている。
【００９０】
また、本実施形態に係る吸収性物品１１０では、吸熱材は、吸収性物品１１０の中央領域２２０を少なくとも含む配置領域に配置され、かつ、該配置領域内の吸収性物品１１０の長手方向の両端部における吸熱材の混合率は、配置領域内の吸収性物品の長手方向の中央部における吸熱材の混合率よりも低い。
【００９１】
具体的に、図５に示すように、吸収性物品１１０では、吸熱材５１乃至５２が、吸収体３１の長手方向に渡る配置領域２２７乃至２２９に配置されている。図５の例では、吸熱材５１乃至５２の平面方向の配置領域２２７乃至２２９が、網目模様によって示されている。なお、図５に示すように、配置領域２２７乃至２２９全体の長手方向の長さは、吸収体３０の長手方向の長さを“Ｌ３”とすると、長さ“Ｌ３”と略同等の長さ“Ｌ４”であることが好ましい。
【００９２】
ここで、吸熱材５１は、吸収性物品１１０の長手方向の中央部における吸熱材である。吸熱材５１は、長手方向の中央部である配置領域２２８に配置される。なお、吸収性物品１１０の長手方向の中央部とは、吸収性物品１１０の長手方向の全長の中心を少なくとも含む領域を示す。
【００９３】
また、吸熱材５２は、配置領域２２７乃至２２９内の吸収性物品１１０の長手方向の両端部における吸熱材である。吸熱材５２は、配置領域２２７と配置領域２２９とに配置される。なお、吸収性物品１１０の長手方向の両端部とは、吸収性物品１１０を着用者が装着した際、上述した中央部の領域に対する腹側の領域及びお尻側の領域を示す。
【００９４】
また、配置領域２２７及び配置領域２２９における吸熱材５２の混合率は、配置領域２２８における吸熱材５１の混合率よりも低い。混合率は、単位面積あたりの混入量、例えば、単位面積あたりの吸熱材の重量を示す。なお、吸熱材５１乃至５２には、粒径が異なる吸熱材が配置されていてもよい。
【００９５】
本発明の第２実施形態に係る吸収性物品１１０では、吸熱材５１乃至５２が、吸収体３１の長手方向の全面に渡る配置領域に配置されている。よって、着用者が、吸収性物品１１０の前方領域２１０や後方領域２３０に、経血等の体液を排泄した場合であっても、吸熱反応をより確実に発現させることができる。
【００９６】
本発明の第２実施形態に係る吸収性物品１１０によれば、吸収性物品１１０の長手方向の両端部における吸熱材５２の混合率が、長手方向の中央部における吸熱材５１よりも低い。かかる吸収性物品１１０よれば、吸熱材５１が、排泄される経血等の体液の多い中央部においても、十分な吸熱反応を発現させることができる。
【００９７】
また、吸収性物品１１０によれば、表面側シート１０を一旦通過した血液に水溶性物質が溶解することにより、血液の濡れ性が低減させられる。このため、血液は、表面側シート１０を再度透過して肌表面に戻りにくくなる。従って、着用者にドライ感を与えることができる。
【００９８】
このように、本発明の第２実施形態に係る吸収性物品１１０によれば、経血等の体液が排泄された際に、着用者が感じるムレ感を抑制することができる。
【００９９】
（その他の実施形態）
上述の実施形態では、吸収性物品として生理用ナプキンを例に挙げて説明してきたが、本発明は、生理用ナプキンに限定されることはなく、パンティーライナー等の女性用の吸収性物品や、失禁パッドやオムツにも適用可能である。
【０１００】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。更に、本発明の実施形態及び変形例は組み合わせることが可能である。
【実施例】
【０１０１】
次に、本発明を実施例により更に詳細に説明するが、本発明は下記の実施例に何ら限定されるものではない。【０１０２】
＜実験装置＞
まず、肌と吸収性物品との間の空間を再現するため、かつ着用中の体液拡散状態を再現するために、図６（ａ）乃至（ｂ）に示すような実験装置を作製した。図６（ａ）は、実験装置の横断面図であり、図６（ｂ）は、実験装置の縦断面図である。【０１０３】
実験装置では、縦９０ｍｍ、横７０ｍｍ、深さ１０ｍｍとなる密閉空間をアクリル容器３００で作成した。実験装置には、かかる密閉空間の温湿度変化を測定するために温湿度センサー３５０を設置した。【０１０４】
アクリル容器３００の上方には、実験液が縦方向に拡散できるように、シリンジ３４０を縦方向に２本挿入できる穴と、１本あたりのシリンジ３４０から縦方向に２箇所滴下される穴３１０〜３２０を設けたアクリル蓋を設置した。つまり、実験液は、縦方向に並ぶ４箇所の穴から滴下できるようにした。【０１０５】
実験液の組成は、体液の塩濃度と合わせるために、塩化ナトリウム濃度が０．９％となるように塩化ナトリウムと蒸留水を混合した生理食塩液を用いた。【０１０６】
実験液の温度は、体液温度と合わせるために、３７℃±５℃に調整した。【０１０７】
＜実施例１＞
吸熱材を配置した吸収体を有するサンプル１を生製した。具体的に、まず、吸収体の上層材として、パルプ１５０ｇｓｍと塩化カリウム１．５ｇをブレンドし、長手寸法１００ｍｍ、幅寸法３０ｍｍに成形した。【０１０８】
なお、塩化カリウム（吸熱材）の平均粒径は、４２５μｍとし、３２５〜５２５μｍの範囲（平均粒径範囲）の塩化カリウムは、全体量に対して４２％とした。塩化カリウムの粒度分布は、図３に示す粒度分布であった。【０１０９】
また、吸収体の下層材として、パルプ１３０ｇｓｍと高分子吸収体０．３ｇとをブレンドし、長手寸法２００ｍｍ、幅寸法７０ｍｍに成形した。【０１１０】
成形後、上層材と下層材とを重ね合わせ、ティッシュ１４ｇｓｍで被覆した。被覆後、エンボス加工により吸収体の厚みを３．４ｍｍとなるように調整した。【０１１１】
エンボス加工後、吸収体には、エアースルー不織布３５ｇｓｍを表面シートとして上に載せ、表面シートと吸収体とを一体化するために両サイドをエンボス加工にて接合した。【０１１２】
エンボス加工にて接合後、表面シートと吸収体とを、実験装置に配置するため、縦寸法９０ｍｍ、横寸法７０ｍｍにカットして成形したものをサンプル１とした。【０１１３】
サンプル２として、吸熱材を配置していない吸収体を生製した。なお、サンプル２は、吸収体の上層材に塩化カリウム（吸熱材）が配置されていない点を除き、上述したサンプル１と同じ方法で生製した。【０１１４】
（評価方法１）
生製したサンプル１を用いて、下記の方法によって、評価実験を行った。なお、評価実験は、３５℃±５℃、７５ＲＨ％±５ＲＨ％の環境下にて行った。【０１１５】
まず、上述した実験装置のアクリル蓋を開け、サンプル１をアクリル容器３００に設置した。次に、アクリル蓋を閉め、安定化させるために１５分放置した。なお、アクリル蓋を閉めた時点で、密閉空間の温度及び湿度の測定を開始した。【０１１６】
測定開始１５分後（安定化後）、３７℃±５℃に調整した実験液２ｍｌを滴下した。その３０分後、同温度の実験液２ｍｌを滴下した。この工程を５回繰り返し、合計１０ｍｌの実験液を滴下した。また、測定開始から合計２時間４５分間の温度及び湿度を測定した。【０１１７】
また、サンプル２についても、上記評価実験を同様に行った。【０１１８】
（評価結果１）
図７（ａ）乃至（ｂ）は、上記評価実験によって得られた温度及び湿度の測定結果である。なお、図７（ａ）は、湿度の測定結果であり、図７（ｂ）は、温度の測定結果である。【０１１９】
図７（ａ）乃至（ｂ）に示すように、サンプル２では、実験装置の密閉空間における温度及び湿度が、実験液２ｍｌを滴下した直後から急上昇しているのに対し、サンプル１では、温度及び湿度が、サンプル２に比べて上昇していなかった。また、実験液２ｍｌを繰り返し（５回）滴下した場合でも、サンプル１では、温度及び湿度が、サンプル２に比べて、上昇していなかった。【０１２０】
（評価方法２）
得られたサンプル１を用いて、下記の評価実験を行った。なお、評価実験は、３５℃±５℃、７５ＲＨ％±５ＲＨ％の環境下にて行った。【０１２１】
まず、上述した実験装置のアクリル蓋を開け、サンプル１をアクリル容器３００に設置した。次に、アクリル蓋を閉め、安定化させるために１５分放置した。なお、アクリル蓋を閉めた時点で、密閉空間の温度及び湿度の測定を開始した。【０１２２】
測定開始１５分後（安定化後）、３７℃±５℃に調整した実験液６ｍｌを滴下した。その後、６０分間の温度及び湿度を測定した。【０１２３】
また、サンプル２についても、上記評価実験を同様に行った。【０１２４】
（評価結果２）
図８（ａ）乃至（ｂ）は、上記評価実験によって得られた温度及び湿度の測定結果である。なお、図８（ａ）は、湿度の測定結果であり、図８（ｂ）は、温度の測定結果である。【０１２５】
図８（ａ）乃至（ｂ）に示すように、サンプル２では、温度及び湿度が、滴下した直後から急上昇しているのに対し、サンプル１では、温度及び湿度が、サンプル２に比べて、上昇していなかった。【０１２６】
（実施例１に係る考察）
上述した評価実験及び評価結果より、体液の排泄が繰り返される場合や、体液の排泄量が多い場合であっても、サンプル１は、肌表面と吸収性物品との間の空間における温度及び湿度の急激な上昇が抑制できることがわかった。また、サンプル１は、密閉空間の温度がサンプル２に対して極端に低下していないことで、着用者に対して冷感などの不快感を与えない程度であることもわかる。【０１２７】
以上述べたように、本発明に係る吸収性物品は、経血や尿等の体液が排泄された際に、肌表面と吸収性物品との間の空間における温度及び湿度の上昇を抑制できるので、着用者が感じるムレ感を抑制することができる。【０１２８】
＜実施例２＞
塩化カリウムを例に、粒径の異なる塩化カリウムが、水和により完全溶解する速度について評価実験を行った。【０１２９】
まず、粒径の異なる複数の吸熱材をサンプルとして生製した。具体的に、粒径が“６００〜７１０μｍ”の範囲内（粒径が大きい範囲）の吸熱材をサンプルＡとして生製し、粒径が“３５５〜５００μｍ”の範囲内（粒径が平均粒径範囲）の吸熱材をサンプルＢとして生製し、粒径が “１５０〜２５０μｍ”の範囲内（粒径が小さい範囲）の吸熱材をサンプルＣとして生製した。【０１３０】
また、実験液を生製した。具体的に、実験液の組成を体液の塩濃度と合わせるため、塩化ナトリウム濃度が０．９％となるように、塩化ナトリウムと蒸留水とを混合した生理食塩液を、実験液として生製した。【０１３１】
（評価方法）
まず、実験液の温度を体液温度と合わせるために、３７℃±５℃に調整した。【０１３２】
次に、各サンプルＡ乃至Ｃを１．０ｇ採取し、ガラスビーカー（５０ｍｌ用、直径４３ｍｍ）に入れた。【０１３３】
また、ガラスビーカーに実験液３．０ｍｌを滴下した。【０１３４】
実験液の滴下開始から各サンプルが完全溶解した時間を測定した。【０１３５】
（評価結果）
上記評価実験によって、下記の測定結果が得られた。【０１３６】
サンプルＡ：粒径が大きい範囲（６００〜７１０μｍの範囲）：６２分１０秒
サンプルＢ：平均粒径範囲（３５５〜５００μｍの範囲）    ：５２分４３秒
サンプルＣ：粒径が小さい範囲（１５０〜２５０μｍの範囲）：２５分３７秒
（実施例２に係る考察）
上述した評価実験及び評価結果よれば、実験液の滴下量や実験環境の温湿度にも依存する場合もあるが、傾向として、粒径が大きい吸熱材ほど完全溶解する速度が遅くなることがわかった。つまり、粒径が異なる吸熱材を配合することで、吸熱反応を長時間発現させることができることがわかった。【０１３７】
なお、日本国特許出願第２００８−１４００５３号（２００８年５月２８日出願）の全内容が、参照により、本願明細書に組み込まれている。
【産業上の利用可能性】
【０１３８】
以上のように、本発明に係る吸収性物品及び生理用ナプキンは、経血や尿等の体液が排泄された際に、着用者が感じるムレ感を抑制することができるため、吸収性物品及び生理用ナプキンの提供において有用である。
【図１】
2009145139.tif 000003
【図２】
2009145139.tif 000004
【図３】
2009145139.tif 000005
【図４】
2009145139.tif 000006
【図５】
2009145139.tif 000007
【図６】
2009145139.tif 000008
【図７】
2009145139.tif 000009
【図８】
2009145139.tif 000010
【手続補正書】
【提出日】平成22年11月26日(2010.11.26)
【手続補正１】
【補正対象書類名】明細書
【補正対象項目名】００５４
【補正方法】変更
【補正の内容】
【００５４】
具体的に、図３の例では、全体の平均粒径“４２５μｍ”に対して、±１００μｍの範囲は、“３２５μｍ”〜“５２５μｍ”の範囲である。本実施形態では、かかる範囲を、平均粒径範囲として説明する。また、図３の例では、平均粒径範囲内の吸熱材は、吸熱材５０ｅと吸熱材５０ｄの一部と吸熱材５０ｆの一部とが該当し、図３において、斜線模様によって領域９０として示す。
【国際調査報告】
2009145139.tif 000011
2009145139.tif 000012